(57)【要約】【課題】ユーザが携帯端末を利用して、エレベータ乗場などから容易に付加サービスの仕様を設定変更できるエレベータ付加サービス設定装置を得る。【解決手段】携帯端末１は、管理センタ５からエレベータ付加サービスの設定変更に必要なアプリケーションソフトを無線通信で取得する。携帯端末１は取得したアプリケーションソフトにより、携帯端末上でエレベータ付加サービスの設定データを変更できる。携帯端末１とエレベータ制御盤３との通信は赤外線を用いて行う。携帯端末１は、本体に装備されている赤外線通信ポートを利用し、エレベータ側は乗場に赤外線通信ポートを設置することにより、赤外線通信を可能とし、エレベータ乗場などから容易に付加サービスの仕様を設定変更できる。【選択図】        図１
2004323117.tif 000002
【特許請求の範囲】
【請求項１】
エレベータの動作変更データを赤外線通信で送信する携帯端末と、
エレベータ乗場に設けられた赤外線通信ポートを介して入力される前記携帯端末からの動作変更データに基づいて付加サービスを設定変更するエレベータ制御盤と
を備えたことを特徴とするエレベータ付加サービス設定装置。
【請求項２】
請求項１に記載のエレベータ付加サービス設定装置において、
前記エレベータ制御盤にネットワークを通じて接続され、ユーザ情報とエレベータ付加サービスに対応する動作変更データの設定状態とを関連づけた顧客データベース、エレベータ付加サービスと価格とを関連づけた機能価格一覧データベース、及びエレベータ付加サービスの変更に伴う課金処理を行う課金処理装置を有する管理センタをさらに備え、
前記携帯端末１は、前記動作変更データとともに携帯端末を識別するためのユーザ情報を送信し、
前記エレベータ制御盤は、前記動作変更データ及び前記ユーザ情報を前記管理センタに送信し、
前記管理センタは、取得した前記ユーザ情報に対応した顧客データを前記顧客データベースから取り出し、取得した前記動作変更データに基づいて動作変更データの設定状態を更新するとともに新たに選択されたエレベータ付加サービスを抽出し、新たに選択されたエレベータ付加サービスに該当する価格を前記機能価格一覧データベースから取り出し、前記課金処理装置で課金処理を行う
ことを特徴とするエレベータ付加サービス設定装置。
【請求項３】
請求項１または２に記載のエレベータ付加サービス設定装置において、
前記携帯端末は、前記エレベータ制御盤から現在設定されている動作変更データに関する情報を取得し、取得した前記情報に基づいて所定の動作変更データを設定することを特徴とするエレベータ付加サービス設定装置。
【請求項４】
請求項２に記載のエレベータ付加サービス設定装置において、
前記管理センタは、付加サービスの追加変更に対応したエレベータ制御ソフトウェアを前記エレベータ制御盤に送信するとともに、付加サービスの追加変更に対応したエレベータの動作変更データを設定するための新たなソフトウェアを無線通信により前記携帯端末に送信し、
前記携帯端末は、エレベータの動作変更データを設定するためのソフトウェアを前記新たなソフトウェアに更新することにより、追加変更された付加サービスの動作変更データを設定する
ことを特徴とするエレベータ付加サービス設定装置。
【発明の詳細な説明】
【０００１】
【発明の属する技術分野】
本発明は、使用環境や使用条件にあったエレベータの運行動作を行わせるために、動作変更データの設定に基づいて付加サービスの設定変更を行うエレベータ付加サービス設定装置に関する。
【０００２】
【従来の技術】
従来のエレベータ付加サービス設定装置においては、汎用のパーソナルコンピュータのような入力装置を設置し、エレベータ機械室内の制御装置と入力装置との間を直接伝送路にて接続して通信を行うことで、エレベータの現在の運行状況をユーザが意識することなしに運行制御に関する仕様の設定をすることができるとともに、仕様設定によるエレベータ利用者への混乱を防ぐことのできる装置が開示されている（例えば、特許文献１参照）。
【０００３】
【特許文献１】
特開平７−１７９２７５号公報（第２頁、第３図）
【０００４】
【発明が解決しようとする課題】
しかしながら、従来技術には次のような問題点がある。従来技術では、ユーザが運行制御に関する仕様の設定変更、すなわちエレベータ付加サービスの設定変更を行うためには、専用ソフトウェアがあらかじめインストールされた入力装置をエレベータ機械室内の制御装置と直接接続し、限られた場所で、入力装置を操作できる特定のユーザによって行わなければならないといった制約があった。
【０００５】
本発明は上述のような課題を解決するためになされたものであり、エレベータ乗場などから容易にエレベータ付加サービスの設定を変更できるエレベータ付加サービス設定装置を得ることを目的とする。
【０００６】
【課題を解決するための手段】
本発明に係るエレベータ付加サービス設定装置は、エレベータの動作変更データを赤外線通信で送信する携帯端末と、エレベータ乗場に設けられた赤外線通信ポートを介して入力される前記携帯端末からの動作変更データに基づいて付加サービスを設定変更するエレベータ制御盤とを備えたものである。
【０００７】
【発明の実施の形態】
実施の形態１．
以下、本発明の実施の形態を添付図に基づいて説明する。図１は本発明の実施の形態１に係るエレベータ付加サービス設定装置の構成図である。付加サービスの設定変更を行いたいユーザは、携帯端末１上で付加サービスの設定変更に必要なアプリケーションソフトを起動し、エレベータの動作変更データを設定する。設定された動作変更データは、携帯端末を識別するためのユーザ情報とともに赤外線信号として送信される。
【０００８】
一方、エレベータ制御盤３は、携帯端末１からの赤外線信号を、エレベータ乗場に設けられた赤外線通信ポート２を介して取得し、エレベータ付加サービスの設定変更を行う。さらにエレベータ制御盤３は、動作変更データ及びユーザ情報を、ネットワーク４を介して管理センタ５に送信する。
【０００９】
管理センタ５は、ユーザ情報とエレベータ付加サービスの設定状態とを関連づけた顧客データを有する顧客データベース５１、エレベータ付加サービスと価格とを関連づけた機能価格一覧データを有する機能価格一覧データベース５２、及びエレベータ付加サービスの変更に伴い課金処理を行う課金処理装置５３を備えており、取得した動作変更データ及びユーザ情報に基づいて、顧客データの更新及び新たに選択されたエレベータ付加サービスの課金処理を行う。
【００１０】
図２は、本発明の実施の形態１に係る顧客データ及び機能価格一覧データを示した図であり、これを用いて顧客データの更新及び課金処理の説明を行う。管理センタ５は、取得したユーザ情報に基づいて顧客データベース５１から該当するユーザの顧客データを取り出す（図２（ａ）参照）。顧客データは、付加サービス機能に対する契約状態と動作変更データの情報が含まれている。契約状態の欄に○印が書き込まれているものは、すでに顧客が該当する付加サービス機能を購入している場合を示しており、×印が書き込まれているものは、まだ顧客が該当する付加サービス機能を購入していない場合を示している。
【００１１】
動作変更データの欄のＤ０は、該当する付加サービス機能の使用／未使用の設定状態を示しており、ＯＮが使用状態、ＯＦＦが未使用状態を意味している。また、動作変更データの欄のＤ１以降は、それぞれの付加サービス機能の設定に必要なパラメータを示している。例えば付加サービス機能Ｆ２のＤ１として、３．０が設定されているが、これは戸開時間の設定を３．０秒にすることを意味している。
【００１２】
管理センタ５は、エレベータ制御盤から取得した新たな動作変更データに基づいて、顧客データの更新を行う。さらに、更新前のデータで契約状態が×印であった付加サービス機能が、新たな動作変更データのＤ０に相当するデータとしてＯＮとなっている場合には、ユーザが該当する付加サービス機能を新たに購入したと判断し、契約状態の欄を○印に更新するとともに、課金処理を行うこととなる。
【００１３】
図２（ｂ）は付加サービス機能と価格との関係をまとめた機能価格一覧データを示しており、機能価格一覧データベース５２内に蓄えられている。管理センタ５は、ユーザが新たに購入した付加サービス機能に対応する価格を図２（ｂ）の機能価格一覧データから抽出し、課金処理装置５３により該当するユーザに対する課金処理を行う。課金処理装置５３は、新たな付加サービス機能の追加に伴う課金計算の実行、そして請求書の発行までを一連の処理として実行することができる。
【００１４】
また、図１における無線通信基地局６及びネットワーク７は、携帯端末１と管理センタ５との無線通信を行うためのものであり、通信内容については図３〜図５を用いて後述する。
【００１５】
次に、図３を用いて付加サービスの設定変更手順の詳細を以下に説明する。図３は本発明の実施の形態１に係るエレベータ付加サービス設定方法における通信手順の流れを示した図である。
【００１６】
付加サービスの設定変更を行いたいユーザは、あらかじめ管理センタ５にユーザ登録申請を行う（Ｓ３０１）。ユーザ登録申請には、付加サービスの設定変更を行う際に用いるユーザの携帯端末１に関する情報が含まれている。ユーザ登録申請を受けた管理センタ５は、一定の審査を経た後、ユーザに対してユーザ登録通知を行う（Ｓ３０２）。ユーザ登録通知は、図１におけるネットワーク７及び無線通信基地局６を介して携帯端末１に無線通信にて告知することができる。
【００１７】
また、管理センタ５は、携帯端末１に対するユーザ登録通知と同時に、エレベータ制御盤３に対して新たなユーザがユーザ登録されたことを通知する（Ｓ３０３）。エレベータ制御盤３は、付加サービスの設定変更を行うことができるユーザをユーザ登録情報として保持しており、管理センタ５から取得したユーザ登録の通知に基づいてユーザ登録情報を更新することにより、携帯端末１からの要求を有効と判断することができ、携帯端末１は付加サービスの設定変更が行えることとなる。
【００１８】
ユーザ登録通知を受けたユーザは、携帯端末１から管理センタ５に対して付加サービスの設定変更に必要なアプリケーションソフトを要求し（Ｓ３０４）、管理センタ５は要求に基づいてアプリケーションソフトを携帯端末１に送信する（Ｓ３０５）。Ｓ３０４及びＳ３０５は、図１におけるネットワーク７及び無線通信基地局６を介して無線通信にて行うことができる。ユーザは、受信したアプリケーションソフトを携帯端末１上で起動し（Ｓ３０６）、メニュー選択により設定変更を行いたい付加サービスの項目を選択する（Ｓ３０７）。付加サービスとしては例えば次のものがある。
［付加サービス１］フロアーカット：指定された階にエレベータを停止させないようにする機能。
［付加サービス２］戸開時間：扉が開いている時間を設定する機能。
【００１９】
ユーザは、メニューから例えば付加サービス２の戸開時間を選択し（Ｓ３０８）、携帯端末１から戸開時間に関する動作変更データを設定する。戸開時間に関する動作変更データの設定としては、図２（ａ）で示したＤ０をＯＮ、Ｄ１を３．０秒に設定することに相当する。所定の動作変更データの設定が完了すると、携帯端末１はエレベータ制御盤３に対して、所定の動作変更データとともに携帯端末１を識別するためのユーザ情報を付加した機能登録要求を送信する（Ｓ３０９）。
【００２０】
機能登録要求の信号は、携帯端末１の赤外線通信ポートから、エレベータ乗場の呼びボタンに設けられている赤外線通信ポート２に送られ、赤外線通信によりエレベータ制御盤３に伝えられる。以下の説明において、携帯端末１とエレベータ制御盤３との通信は全て赤外線通信ポート２を介した赤外線通信によって行われる。エレベータ制御盤３は、あらかじめ登録されているユーザ登録情報と取得したユーザ情報との比較に基づいて機能登録要求が有効であるかを判断する。ユーザ登録されているユーザからの機能登録要求であると判断されると、エレベータ制御盤３は取得した所定の動作変更データに基づいて、エレベータ制御ソフトウェアの動作パラメータを変更することにより、エレベータ付加サービスの変更に関する機能登録処理を行い（Ｓ３１０）、携帯端末１に対して機能登録完了を伝える（Ｓ３１１）。
【００２１】
さらに、エレベータ制御盤３は、ネットワーク４を介してつながれている管理センタ５に対して、機能登録処理で実施した所定の動作変更データの情報及びユーザ情報を機能登録通知として送信する（Ｓ３１２）。通知を受けた管理センタ５は、機能登録が完了した所定の動作変更データの情報及びユーザ情報に基づき、顧客データベース５１内のユーザ情報に対応する顧客データの更新、機能価格一覧データベース５２内の機能価格一覧データによる追加機能と価格の照合、課金処理装置５３による新たな課金計算の実行、そして請求書の発行までを一連の処理として実行することができる（Ｓ３１３）。
【００２２】
実施の形態１によれば、ユーザは携帯端末１から赤外線通信を利用して、直接エレベータ制御盤３に対してエレベータの動作変更データを送信できる。また、エレベータ乗場に設置された赤外線通信ポートを利用することにより、エレベータ乗場から容易にエレベータ付加サービスの設定変更を行うことができる。一方、管理センタ５は、付加サービスの設定変更にあたって、実際の変更作業はユーザが行えるため、サービスマン等の派遣をせずに済む。さらに、動作変更データに関する情報及びユーザ情報をエレベータ制御盤３から取得することにより、直ちに顧客データの更新及び課金処理を実行できる。
【００２３】
実施の形態２．
実施の形態１では、ユーザ登録処理から始まり課金計算に至るまでの一連の流れを説明した。実施の形態２では、一度ユーザ登録処理が完了している状態において、携帯端末１がエレベータ制御盤３から現在設定されている動作変更データに関する情報を取得し、取得した情報による現状確認に基づいて、所定の動作変更データを設定する場合を示す。図４は、本発明の実施の形態２に係るエレベータ付加サービス設定方法における通信手順の流れを示した図である。図４におけるステップ番号Ｓ３０６〜Ｓ３１３は、実施の形態１の説明で用いた図３におけるステップ番号Ｓ３０６〜Ｓ３１３と同様であり、処理が異なるステップに関してはステップ番号Ｓ４０１〜Ｓ４０３で記述し、以下に詳細を説明する。
【００２４】
携帯端末１は、すでに管理センタ５から取得している付加サービスの設定変更に必要なアプリケーションソフトを起動する（Ｓ３０６）。そして、現状の付加サービスの設定確認を行うため、現在設定されているエレベータの動作変更データに関する情報の確認要求をエレベータ制御盤３に対して赤外線通信ポート２を介して送信し（Ｓ４０１）、エレベータ制御盤３から現状の設定データに関する情報を取得する（Ｓ４０２）。携帯端末１は、取得した情報に基づいて、エレベータ付加サービス機能に対して現在設定されている動作変更データに関する情報を画面上に表示し、ユーザは付加サービスの設定状態の確認を行う（Ｓ４０３）。
【００２５】
ユーザは、現在の設定状態の確認に基づいて、設定変更を行いたい付加サービスの項目が決まったら、メニュー選択により項目を選択する（Ｓ３０７）。さらに、選択された項目に関する動作変更データの設定を行い（Ｓ３０８）、所定の動作変更データの設定が完了すると、携帯端末１はエレベータ制御盤３に対して、所定の動作変更データとともに携帯端末１を識別するためのユーザ情報を付加した機能登録要求を送信する（Ｓ３０９）。エレベータ制御盤３は、あらかじめ登録されているユーザ登録情報と取得したユーザ情報との比較に基づいて機能登録要求が有効であるかを判断する。ユーザ登録されているユーザからの機能登録要求であると判断されると、エレベータ制御盤３は取得した所定の動作変更データに基づいて、エレベータ制御ソフトウェアの動作パラメータを変更することにより、エレベータ付加サービスの変更に関する機能登録処理を行い（Ｓ３１０）、携帯端末１に対して機能登録完了を伝える（Ｓ３１１）。
【００２６】
さらに、エレベータ制御盤３は、ネットワーク４を介してつながれている管理センタ５に対して、機能登録処理で実施した所定の動作変更データの情報及びユーザ情報を機能登録通知として送信する（Ｓ３１２）。通知を受けた管理センタ５は、実施の形態１で示した手順と同様にして、機能登録が完了した所定の動作変更データの情報及びユーザ情報に基づき、顧客データベース５１内のユーザ情報に対応する顧客データの更新、機能価格一覧データベース５２内の機能価格一覧データによる追加機能と価格の照合、課金処理装置５３による新たな課金計算の実行、そして請求書の発行までを一連の処理として実行することができる（Ｓ３１３）。
【００２７】
実施の形態２によれば、ユーザは携帯端末１から赤外線通信を利用して、直接エレベータ制御盤３から現在設定されているエレベータの動作変更データに関する情報を取得でき、取得した情報の確認に基づいて容易にエレベータ付加サービスの設定変更を行うことができる。他のユーザにより設定変更が行われた場合にも、現在の設定状態の確認に基づいて、設定変更を行いたい付加サービスの選定を行うことができる。
【００２８】
実施の形態３．
実施の形態１及び実施の形態２では、エレベータ制御盤３内に付加サービスの設定変更に対応するエレベータ制御ソフトウェアがすでにインストールされている場合について説明した。実施の形態３は、新たなエレベータの付加サービスが追加になった場合について説明する。図５は、本発明の実施の形態３に係るエレベータ付加サービス設定方法における通信手順の流れを示した図である。図５におけるステップ番号Ｓ３０４〜Ｓ３１３は、実施の形態１の説明で用いた図３におけるステップ番号Ｓ３０４〜Ｓ３１３と同様であり、処理が異なるステップに関してはステップ番号Ｓ５０１、Ｓ５０２で記述し、以下に詳細を説明する。
【００２９】
まず管理センタ５は、新たな付加サービスの設定変更に対応する新たなエレベータ制御ソフトウェアをエレベータ制御盤３に対して送信し、（Ｓ５０１）それとともにユーザに対して新たな付加サービスの機能追加内容を通知する（Ｓ５０２）。機能追加内容の通知は、図１におけるネットワーク７及び無線通信基地局６を介して携帯端末１に無線通信にて告知することができる。
【００３０】
機能追加の通知を受けたユーザは、携帯端末１から管理センタ５に対して追加された付加サービスの設定変更に必要な新たなアプリケーションソフトを要求し（Ｓ３０４）、管理センタ５は要求に基づいて新たなアプリケーションソフトを携帯端末１に送信する（Ｓ３０５）。ユーザは、受信した新たなアプリケーションソフトを携帯端末１上で起動し（Ｓ３０６）、付加サービスの設定変更を行う。ステップ番号Ｓ３０７〜Ｓ３１３の手順は実施の形態１で説明した図３の説明と同様である。
【００３１】
図５を用いて、エレベータの付加サービス機能が増えた場合に関して説明したが、例えば保守契約解除に伴い付加サービスの機能を減らす場合、あるいは携帯端末１からの変更を禁止するなどの変更が生じた場合に関しても同様の手順が適用できる。
【００３２】
実施の形態３によれば、エレベータの付加サービスに変更が生じた場合にも、携帯端末１は管理センタ５から変更された付加サービスの設定変更に必要な新たなアプリケーションソフトを取得することにより、容易にエレベータ付加サービスの設定変更を行うことができる。
【００３３】
【発明の効果】
以上のように、本発明によれば、ユーザは携帯端末を利用して、エレベータ乗場から容易にエレベータ付加サービスの設定を変更できる。
【図面の簡単な説明】
【図１】本発明の実施の形態１に係るエレベータ付加サービス設定装置の構成図である。
【図２】本発明の実施の形態１に係る顧客データ及び機能価格一覧データを示した図である。
【図３】本発明の実施の形態１に係るエレベータ付加サービス設定方法における通信手順の流れを示した図である。
【図４】本発明の実施の形態２に係るエレベータ付加サービス設定方法における通信手順の流れを示した図である。
【図５】本発明の実施の形態３に係るエレベータ付加サービス設定方法における通信手順の流れを示した図である。
【符号の説明】
１  携帯端末、２  赤外線通信ポート、３  エレベータ制御盤、４  ネットワーク、５  管理センタ、６  無線通信基地局、７  ネットワーク、５１  顧客データベース、５２  機能価格一覧データベース、５３  課金処理装置。
【図１】
2004323117.tif 000003
【図２】
2004323117.tif 000004
【図３】
2004323117.tif 000005
【図４】
2004323117.tif 000006
【図５】
2004323117.tif 000007